(57)【特許請求の範囲】
【請求項１】
差等課金が適用される地域をホームゾーンとして定義し、ホームゾーンサービスを制御するホームゾーンサービスセンターを備えるセルラー移動通信システムにおけるセル形状の変更によって加入者データベース内のホームゾーンリストを更新する方法において、
基地局の増設、移設または撤去によるセル形状の変更により基地局システムパラメータの変更がある少なくとも一の基地局を決定する過程と、
前記決定した基地局の基地局システムパラメータ変更によりホームゾーンサービスの提供について影響を受ける少なくとも一の加入者を加入者データベースから選定する過程と、
前記決定された基地局のうちで、前記選定した加入者の居住地住所から予め定められた所定の距離内にある基地局を選択し、選択された基地局のそれぞれについて、加入者に最良のホームゾーンサービスを提供する順に優先順位を与えた後、その優先順位に従ってホームゾーン基地局を決定し、決定したホームゾーン基地局の情報を含むホームゾーンリストを生成する過程と、
前記生成したホームゾーンリストに基づいて前記加入者データベースを更新する過程と、を含むことを特徴とするホームゾーンリストの更新方法。
【請求項２】
前記少なくとも一の加入者を選定する過程は、前記決定したそれぞれの基地局から所定距離範囲内に居住地を有する全加入者を二以上の基地局が重複しないように選定する段階を含む請求項１記載のホームゾーンリスト更新方法。
【請求項３】
前記セル形状の変更により基地局システムパラメータの変更がある基地局は、増設または移設される基地局、増設、移設または撤去される基地局の隣接基地局である請求項１記載のホームゾーンリスト更新方法。
【請求項４】
前記ホームゾーンリストを生成する過程は、
前記選定した加入者の居住地住所及び前記セルラー移動通信システムを構成する全基地局の位置情報を利用して、前記選定した加入者のそれぞれの居住地から所定距離範囲内に位置する基地局を選択する段階と、前記選択した基地局が前記選定した加入者の居住地に向かう方向を示す方向角によって、前記選択した基地局を複数のグループにグループ化する段階と、
前記選定した加入者に最良のホームゾーンサービスを提供する優先順位によって前記複数のグループ内で前記選択した基地局を配列する段階と、
前記配列の結果によって、優先順位の高い基地局から選択した所定個数の基地局に基づいてホームゾーン基地局を決定する段階と、
前記決定したそれぞれのホームゾーン基地局から前記ホームゾーン加入者にホームゾーンサービスを提供するサービスセクタを決定する段階と、
前記決定したホームゾーン基地局に関する情報及びサービスセクタに関する情報を有するホームゾーンリストを生成する段階と、を含む請求項１記載のホームゾーンリスト更新方法。
【請求項５】
基地局の増設、移設または撤去のいずれかによって前記セル形状が変更する過程をさらに含む請求項１記載のホームゾーンリスト更新方法。
【請求項６】
空きグループが存在するか否かを決定する段階と、
前記空きグループに含まれる基地局を決定する段階と、をさらに含む請求項４記載のホームゾーンリスト更新方法。
【請求項７】
基地局システムパラメータの変更がある少なくとも一の基地局を決定する過程の前に、前記セル形状の変更情報を受信する過程をさらに含む請求項１記載のホームゾーンリスト更新方法。
【請求項８】
前記ホームゾーンリストを生成する過程の後に、該生成したホームゾーンリストを貯蔵する過程をさらに含む請求項１記載のホームゾーンリスト更新方法。
【請求項９】
差等課金が適用される地域をホームゾーンとして定義し、ホームゾーンサービスを支援するセルラー移動通信システムにおけるセル形状の変更によって加入者データベース内のホームゾーンリストを更新するシステムにおいて、
基地局の増設、移設または撤去によるセル形状の変更により基地局システムパラメータの変更がある少なくとも一の基地局を決定し、前記セルの形状の変更によりホームゾーンサービスの提供について影響を受ける全加入者を加入者データベースから選定し、前記決定された基地局のうちで、前記選定した加入者の居住地住所から予め定められた所定の距離内にある基地局を選択し、選択された基地局のそれぞれについて、加入者に最良のホームゾーンサービスを提供する順に優先順位を与えた後、その優先順位に従ってホームゾーン基地局を決定し、決定したホームゾーン基地局の情報を含むホームゾーンリストを生成するホームゾーンサービスセンターと、
前記セルラー移動通信システムの加入者に関する情報及びホームゾーン情報を備え、前記ホームゾーンサービスセンターによって生成されたホームゾーンリストに基づいてセル形状の変更によりホームゾーンサービスの提供について影響を受ける全加入者についての前記加入者データベースを更新するホーム位置登録器と、から構成することを特徴とするホームゾーンリスト更新システム。
【請求項１０】
前記ホームゾーンサービスセンターは、前記セル形状の変更により基地局システムパラメータの変更がある基地局を決定し、該決定したそれぞれの基地局から所定距離範囲内に居住地を有する加入者を二以上の基地局が重複しないように選定する請求項９記載のホームゾーンリスト更新システム。
【請求項１１】
前記セル形状の変更により基地局システムパラメータの変更がある基地局は、増設または移設される基地局、増設、移設又は撤去される基地局の隣接基地局である請求項１０記載のホームゾーンリスト更新システム。
【請求項１２】
基地局の増設、移設または撤去のいずれかによって前記セル形状が変更する請求項９記載のホームゾーンリスト更新システム。
【請求項１３】
前記ホームゾーンサービスセンターは、
前記セル形状が変更する基地局の基地局システムパラメータを貯蔵する第１ユニットと、
前記ホームゾーンリストを生成する第２ユニットと、
前記ホームゾーンリストを貯蔵する第３ユニットを含む請求項９記載のホームゾーンリスト更新システム。
【請求項１４】
セルラー移動通信のセルの形状の変更により基地局システムパラメータの変更がある基地局を決定する過程と、
前記セルの形状の変更によりホームゾーンサービスの提供について影響を受ける全加入者を加入者データベースから選定する過程と、
前記決定された基地局のうちで、前記選定した加入者の居住地住所から予め定められた所定の距離内にある基地局を選択し、選択された基地局のそれぞれについて、加入者に最良のホームゾーンサービスを提供する順に優先順位を与えた後、その優先順位に従ってホームゾーン基地局を決定し、決定したホームゾーン基地局の情報を含むホームゾーンリストを生成する過程と、
前記ホームゾーンリストを更新する過程と、を含むことを特徴とするホームゾーンリスト更新方法。
【請求項１５】
前記セルの形状の変更によりホームゾーンサービスの提供について影響を受ける全加入者は、前記セルの形状の変更により基地局システムパラメータの変更がある基地局のそれぞれの座標を中心として所定距離範囲内に居住地を有する全ての加入者である請求項１４記載のホームゾーンリスト更新方法。
【請求項１６】
二以上の基地局が前記セルの形状の変更によりホームゾーンサービスの提供について影響を受ける全加入者を重複しないように選定する請求項１５記載のホームゾーンリスト更新方法。
【請求項１７】
前記ホームゾーンリストを生成する過程は、
前記加入者の居住地から所定距離範囲内に位置する基地局を選択する段階と、
加入者ホームゾーンを設定する優先順位を決定する段階と、
ホームゾーンサービスを提供するためにホームゾーン加入者に関する情報を備えるホームゾーンリストを生成する段階と、を含む請求項１４記載のホームゾーンリスト更新方法。
【請求項１８】
第２ユニットで前記ホームゾーンリストを更新すると同時に、第１ユニットに前記ホームゾーンリストを貯蔵する段階をさらに含む請求項１４記載の方法。
【請求項１９】
前記セル形状の変更によりホームゾーンサービスの提供について影響を受ける全加入者を選択する過程は、前記決定した基地局のそれぞれから所定距離範囲内に居住地を有する全ての加入者を二以上の基地局が重複しないように選定する段階を含む請求項１４記載のホームゾーンリスト更新方法。
【請求項２０】
前記セル形状の変更により基地局システムパラメータの変更がある基地局は、増設または移設される基地局、増設、移設または撤去される基地局の隣接基地局で構成されるグループから選択される請求項１４記載のホームゾーンリスト更新方法。
【発明の詳細な説明】
【０００１】
【発明の属する技術分野】
本発明は、移動通信システムに関し、特に、使用者がセル形状の変更を希望する時、ホームゾーンサービス(Home-Zone Service)を提供するためのデータベースにおいて、ホームゾーンリストを更新する方法及びシステムに関する。
【０００２】
【従来の技術】
通常、セルラー移動通信システムは、複数の基地局(Base Transceiver Subsystem: ＢＴＳ)、複数の基地局制御器(Base Station Controller: ＢＳＣ)及び移動交換システム(Mobile Switching Center: ＭＳＣ)から構成され、移動加入者が無線端末機を携帯して移動しながら通信を遂行することを可能にするために提供されるシステムである。特に、ホームゾーンサービスを提供する移動通信システムは、特定の領域で、あるホームゾーンを設定し、このホームゾーン領域で遂行される通話に対して差等課金(differential charges)を適用する。ここで、ホームゾーン領域は、他の領域とは異なる課金料率を有する地域を意味する。
【０００３】
ホームゾーンサービスは、移動通信の料金体系を差別化して、多様な加入者の要求を満足させるためのものである。一般的に、ホームゾーン領域は、移動加入者の登録された居住地住所を中心として、所定距離の半径を有する概略的な円形のサービス領域である。移動加入者は、ホームゾーン領域内では非常に低廉な有線通話料金で通話を遂行し、ホームゾーン領域の外では無線通話料金で通話を遂行する。
【０００４】
移動端末機加入者がホームゾーンサービスに加入すると、サービス提供者は、該当加入者の居住地住所を座標化し、その座標から所定の距離の半径(例えば、１キロメートル)を有する概略的な円形の領域をホームゾーン領域として設定する。ここで、ホームゾーン領域は、加入者の居住地によって、１つまたは複数のセル領域に及ぶことができる。設定されたホームゾーン領域を表示するための情報データは、１つまたは複数の移動交換システムに連結できるホーム位置登録器(Home Location Register: ＨＬＲ)に記録される。さらに、情報データは、ホームゾーンサービスに登録された加入者からサービス要求がある場合、ホームゾーン情報によって差等課金を適用するために利用される。しかしながら、初期サービスが開始された後のセル形状は、継続的に変化する。つまり、電波環境の最適化のために基地局が増設、移設または撤去されるため、セル形状が変化することがある。従って、基地局の移設、増設等によって呼を受信する基地局に変更が発生する場合、加入者にホームゾーンサービスを提供する基地局が変更されるので、結果的に、ホームゾーン情報も変更されるべきである。
【０００５】
【発明が解決しようとする課題】
変化したセル形状がホームゾーンリストに適用されない場合、加入者は、自分のホームゾーン領域内で正常に通話を遂行することができないか、または、誤った料金が請求される。これは、加入者だけでなく、非ホームゾーン領域にホームゾーン領域の通話料金を適用することにもなるので、サービス提供者においても損失が発生する可能性がある。つまり、ホームゾーン領域に最初に登録された情報のみをホームゾーンサービスのために使用する場合、セル形状の変化やホームゾーン領域の誤った設定などによってサービス提供者またはサービス加入者に損害を与えるという問題が発生する。
【０００６】
このような問題点を解決するための発明として、本願出願人によって出願された大韓民国特許番号第２０００−５９７５０号(出願日：２０００年１０月１１日)の「移動通信システムにおけるホームゾーンデータベースの実時間更新のためのシステム及び方法」がある。これは、加入者から要求されたホームゾーン確認呼の連結により移動交換システムからホームゾーン確認呼に関する情報を受信することで加入者のホームゾーン領域を更新し、ホームゾーン確認呼情報を貯蔵して利用する。しかしながら、この場合、加入者が自らホームゾーン確認呼を連結しなければならないので、これは、加入者にとって煩雑であり、加入者が呼を連結する前にセル形状の変更によるホームゾーン領域の変更を実時間で反映することができないという問題点がある。
【０００７】
従って、本発明の目的は、移動加入者にホームゾーンサービスを提供するためのホームゾーン情報の更新方法及びシステムを提供することにある。
【０００８】
本発明の他の目的は、セル形状の変更時、ホームゾーン加入者のホームゾーンリストを実時間で更新するための方法及びシステムを提供することにある。
【０００９】
【課題を解決するための手段】
以上の課題を達成するために本発明は、差等課金が適用される地域をホームゾーンとして定義し、ホームゾーンサービスを制御するホームゾーンサービスセンターを備えるセルラー移動通信システムにおけるセル形状の変更によって加入者データベース内のホームゾーンリストを更新する方法において、基地局の増設、移設または撤去によるセル形状の変更により基地局システムパラメータの変更がある少なくとも一の基地局を決定する過程と、決定した基地局の基地局システムパラメータ変更によりホームゾーンサービスの提供について影響を受ける少なくとも一の加入者を加入者データベースから選定する過程と、前記決定された基地局のうちで、前記選定した加入者の居住地住所から予め定められた所定の距離内にある基地局を選択し、選択された基地局のそれぞれについて、加入者に最良のホームゾーンサービスを提供する順に優先順位を与えた後、その優先順位に従ってホームゾーン基地局を決定し、決定したホームゾーン基地局の情報を含むホームゾーンリストを生成する過程と、生成したホームゾーンリストに基づいて前記加入者データベースを更新する過程と、を含むことを特徴とするホームゾーンリスト更新方法を提供する。
【００１０】
この方法において、少なくとも一の加入者を選定する過程は、決定したそれぞれの基地局から所定距離範囲内に居住地を有する全加入者を二以上の基地局が重複しないように選定する段階を含むとよい。
【００１１】
セル形状の変更により基地局システムパラメータの変更がある基地局は、増設または移設される基地局、増設、移設または撤去される基地局の隣接基地局である。
【００１２】
ホームゾーンリストを生成する過程は、選定した加入者の居住地住所及びセルラー移動通信システムを構成する全基地局の位置情報を利用して、選定した加入者のそれぞれの居住地から所定距離範囲内に位置する基地局を選択する段階と、選択した基地局が選定した加入者の居住地に向かう方向を示す方向角によって、選択した基地局を複数のグループにグループ化する段階と、選定した加入者に最良のホームゾーンサービスを提供する優先順位によって複数のグループ内で選択した基地局を配列する段階と、配列の結果、優先順位の高い基地局から選択した所定個数の基地局に基づいてホームゾーン基地局を決定する段階と、決定したそれぞれのホームゾーン基地局からホームゾーン加入者にホームゾーンサービスを提供するサービスセクタを決定する段階と、決定したホームゾーン基地局に関する情報及びサービスセクタに関する情報を有するホームゾーンリストを生成する段階と、を含むと好ましい。
【００１３】
本発明による方法は、基地局の増設、移設または撤去のいずれかによってセル形状が変更する過程をさらに含むとよい。また、基地局システムパラメータの変更がある少なくとも一の基地局を決定する過程の前に、セル形状の変更情報を受信する過程をさらに含むようにしてもよい。さらに、ホームゾーンリストを生成する過程の後に、生成したホームゾーンリストを貯蔵する過程をさらに含むと好ましい。
【００１４】
ホームゾーンリストを生成する過程は、空きグループが存在するか否かを決定する段階と、空きグループに含まれる基地局を決定する段階と、をさらに含むとよい。
【００１５】
また、本発明では、差等課金が適用される地域をホームゾーンとして定義し、ホームゾーンサービスを支援するセルラー移動通信システムにおけるセル形状の変更によって加入者データベース内のホームゾーンリストを更新するシステムにおいて、基地局の増設、移設または撤去によるセル形状の変更により基地局システムパラメータの変更がある少なくとも一の基地局を決定し、前記セルの形状の変更によりホームゾーンサービスの提供について影響を受ける全加入者を加入者データベースから選定し、前記決定された基地局のうちで、前記選定した加入者の居住地住所から予め定められた所定の距離内にある基地局を選択し、選択された基地局のそれぞれについて、加入者に最良のホームゾーンサービスを提供する順に優先順位を与えた後、その優先順位に従ってホームゾーン基地局を決定し、決定したホームゾーン基地局の情報を含むホームゾーンリストを生成するホームゾーンサービスセンターと、前記セルラー移動通信システムの加入者に関する情報及びホームゾーン情報を備え、前記ホームゾーンサービスセンターによって生成されたホームゾーンリストに基づいてセル形状の変更によりホームゾーンサービスの提供について影響を受ける全加入者についての前記加入者データベースを更新するホーム位置登録器と、から構成することを特徴とするホームゾーンリスト更新システムを提供する。
【００１６】
このシステムにおいて、ホームゾーンサービスセンターは、セル形状の変更により基地局システムパラメータの変更がある基地局を決定し、この決定したそれぞれの基地局から所定距離範囲内に居住地を有する加入者を二以上の基地局が重複しないように選定すると好ましい。
【００１７】
セル形状の変更により基地局システムパラメータ の変更がある基地局は、増設または移設される基地局、増設、移設又は撤去される基地局の隣接基地局である。セル形状は基地局の増設、移設または撤去のいずれかによって変更する。
【００１８】
ホームゾーンサービスセンターは、セル形状が変更する基地局の基地局システムパラメータを貯蔵する第１ユニット（基地局システムパラメータデータベース）と、ホームゾーン生成アルゴリズムによりホームゾーンリストを生成する第２ユニットと、ホームゾーンリストを貯蔵する第３ユニット（加入者データベース）を含むとよい。
【００１９】
さらに、本発明では、セルラー移動通信のセルの形状の変更により基地局システムパラメータの変更がある基地局を決定する過程と、セルの形状の変更によりホームゾーンサービスの提供について影響を受ける全加入者を加入者データベースから選定する過程と、前記決定された基地局のうちで、前記選定した加入者の居住地住所から予め定められた所定の距離内にある基地局を選択し、選択された基地局のそれぞれについて、加入者に最良のホームゾーンサービスを提供する順に優先順位を与えた後、その優先順位に従ってホームゾーン基地局を決定し、決定したホームゾーン基地局の情報を含むホームゾーンリストを生成する過程と、を含むことを特徴とするホームゾーンリスト更新方法を提供する。
【００２０】
この方法のおいて、セルの形状の変更によりホームゾーンサービスの提供について影響を受ける全加入者は、セルの形状の変更により基地局システムパラメータの変更がある基地局のそれぞれの座標を中心として所定距離範囲内に居住地を有する全ての加入者であるとよい。また、二以上の基地局はセルの形状の変更によりホームゾーンサービスの提供について影響を受ける全加入者を重複しないように選定すると好ましい。
【００２１】
ホームゾーンリストを生成する過程は、加入者の居住地から所定距離範囲内に位置する基地局を選択する段階と、加入者ホームゾーンを設定する優先順位を決定する段階と、ホームゾーンサービスを提供するためにホームゾーン加入者に関する情報を備えるホームゾーンリストを生成する段階と、を含むとよい。この場合、第２ユニットでホームゾーンリストを生成した後、第３ユニットで生成したホームゾーンリストを更新して貯蔵すると好ましい。また、セル形状の変更によりホームゾーンサービスの提供について影響を受ける全加入者を選択する過程は、決定した基地局のそれぞれから所定距離範囲内に居住地を有する全ての加入者を二以上の基地局が重複しないように選定する段階を含むとよい。
【００２２】
セル形状の変更により基地局システムパラメータの変更がある基地局は、増設または移設される基地局、増設、移設または撤去される基地局の隣接基地局で構成されるグループから選択されると好ましい。
【００２３】
【発明の実施の形態】
以下、本発明に従う好適な実施形態について添付図を参照しつつ詳細に説明する。下記の説明において、本発明の要旨のみを明確にする目的で、関連した公知機能または構成に関する具体的な説明は省略する。
【００２４】
本発明は、電波環境の最適化または他の理由によってセルラー移動通信ネットワークを構成する少なくとも１つの基地局が増設、移設または撤去される場合、その基地局を中心とする所定距離半径に含まれる全ての加入者を選定し、加入者別にホームゾーンリストを自動生成して、この生成されたリストに基づき加入者データベースを実時間で更新することを特徴とする。
【００２５】
図１は、本発明が適用されるセルラー移動通信ネットワークのホームゾーンサービス領域を示す図である。
【００２６】
図１を参照すると、第１〜第６基地局Ａ１、Ｂ１、Ｃ１、Ｄ１、Ｅ１、Ｆ１は、それぞれ対応する第１〜第６セル領域Ａ、Ｂ、Ｃ、Ｄ、Ｅ、Ｆを有する。さらに、各基地局は、自分のセル領域内に位置する移動端末機と無線データを送受信することができる。ここで、無線データは、音声データ、呼処理に必要なデータ及び各種の信号を含む。第１〜第６基地局Ａ１、Ｂ１、Ｃ１、Ｄ１、Ｅ１、Ｆ１は、１つのセルを有するオムニ(Omni)タイプの基地局であるか、または、複数のセクタ(Sector)に分割されたセルを有するセクタタイプの基地局である。地域のタイプによって、基地局は、ピコセル(Pico-Cell)を有するピコ基地局(Pico-BTS)になることができる。
【００２７】
ホームゾーン領域は、参照番号１０、２０、３０によって表される。ここで、ホームゾーン領域１０は第１基地局Ａ１のみに属し、ホームゾーン領域２０は第３〜第５基地局Ｃ１、Ｄ１、Ｅ１領域に及び、ホームゾーン領域３０は第５基地局Ｅ１及び第６基地局Ｆ１領域に及んでいる。さらに、ホームゾーン領域１０、２０、３０は、各基地局から１つまたは多数のセクタ(またはピコセル)に及ぶことができる。
【００２８】
従って、ホームゾーン領域に関する情報は、ホームゾーン加入者に対してサービスを提供できる特定の基地局(及びそのセクタ)情報を含むべきである。以下、ホームゾーン加入者にホームゾーンサービスを提供する基地局をホームゾーン基地局と定義し、ホームゾーン基地局からホームゾーン加入者にサービスを提供できるセクタをサービスセクタと定義する。
【００２９】
図２は、本発明によるホームゾーンサービスシステムの構成図である。図２は、第１〜第３基地局１１０、１２０、１３０の３個の基地局に及んでいるホームゾーン領域２０を示す。ホームゾーン領域２０は、サービス中の基地局によって３個の小領域２０ａ、２０ｂ、２０ｃに区分される。ここで、第１〜第３基地局１１０、１２０、１３０は、ピコ基地局、セクタ基地局またはオムニ基地局になることができるが、以下、特に示さない限り、これらを区分せず、基地局(ＢＴＳ)と称して説明する。
【００３０】
図２を参照して、ホームゾーンサービスを遂行するためのシステム構成及びホームゾーンサービス方法を説明する。第１基地局１１０は第１小領域２０ａをカバーし、第２基地局１２０は第２小領域２０ｂをカバーし、第３基地局１３０は第３小領域２０ｃをカバーする。第１〜第３基地局１１０、１２０、１３０は、基地局制御器(ＢＳＣ)１４０と連結されて通信が可能となる。図２に示す基地局１１０、１２０、１３０は、１つの基地局制御器１４０に連結されているが、それぞれが異なる２個以上の基地局制御器に連結されてもよい。これは、ホームゾーン領域が位置する地域的な状況によって変化する。
【００３１】
移動交換システム(ＭＳＣ)１５０は、基地局制御器１４０を他の加入者システム、例えば、公衆交換網(public switched network: ＰＳＮ)または移動通信網１９０に連結し、ホーム位置登録器(ＨＬＲ)１６０から得られる加入者に関する情報を利用して移動加入者に移動通信サービス、特に、ホームゾーンサービスを提供する。ここで、ホーム位置登録器１６０は、移動加入者のための各種の加入者情報を貯蔵する加入者データベースを備える。さらに、移動交換システム１５０は、ホームゾーン情報を貯蔵して管理するホームゾーンサービスセンター１７０と連結される。ホームゾーンサービスセンター１７０は、顧客管理センター(Customer Care Center: ＣＣＣ)１８０に連結され、運用者が入力したホームゾーン関連データを受信してホームゾーン情報を生成し、この生成したホームゾーン情報をホーム位置登録器１６０に登録するために伝達する。
【００３２】
ホームゾーン情報とは、より具体的には、ホームゾーン加入者にホームゾーンサービスを提供するホームゾーン基地局(及びサービスセクタ)のリストである。本発明において、ホームゾーン情報をホームゾーンリストとして定義する。図２に示すように、ホームゾーンリストは第１〜第３基地局１１０、１２０、１３０に関する情報を含む。第１〜第３基地局１１０、１２０、１３０をホームゾーン基地局の組合せとして定義する。
【００３３】
図３は、本発明によるホームゾーンリストの更新動作を示すフローチャートであり、図４は、本発明によるホームゾーンリストの更新動作を示すブロック図である。図３及び図４を参照して、本発明によるホームゾーンリストの更新手順を詳細に説明する。
【００３４】
基地局の増設／移設／撤去によってセル形状が変更した場合、ホームゾーンサービスセンター１７０はＨＬＲ１６からセル形状変更情報を受信する(Ｓ１００:IS CELL CONFIGURATION CHANGE INFORMATION RECEIVED?)。セル形状変更情報は、例えば、基地局の増設と同時期に、ネットワーク運用者によって伝送される。次に、ホームゾーンサービスセンター１７０は、セル形状変更情報に基づいてセンター内部の基地局システムパラメータデータベース１７２を更新する。
【００３５】
その後、ホームゾーンサービスセンター１７０は、セル形状の変更によって基地局システムパラメータの変更がある基地局を決定する(Ｓ２００:DETERMINE MODIFIED BASE STATIONS)。ここで、基地局システムパラメータの変更がある基地局は、増設または移設された基地局や、増設、移設された基地局に隣接する基地局を含む。また、ある基地局が撤去された場合、基地局システムパラメータの変更がある基地局は、撤去された基地局に隣接する基地局である。
【００３６】
より具体的には、図１に示すように構成されるセルラー移動通信ネットワークにおいて、第３基地局Ｃ１が撤去される場合、電波環境の特性によって、他の基地局Ａ１、Ｂ１、Ｄ１、Ｅ１、Ｆ１のセル領域Ａ、Ｂ、Ｄ、Ｅ、Ｆが第３基地局Ｃ１のセル領域Ｃに向かって拡張する。これは、各基地局に対し、サービスセクタの角度変更、システム遅延及びサービス範囲の変化を生じさせる。このようなケースにおいて、第３基地局Ｃ１の撤去により基地局システムパラメータの変更がある基地局は、第１、第２、第４、第５、第６基地局Ａ１、Ｂ１、Ｄ１、Ｅ１、Ｆ１である。
【００３７】
次に、ホームゾーンサービスセンター１７０は、段階Ｓ２００において決定した基地局座標を利用して、セル形状の変更によりホームゾーンサービスの提供について影響を受ける全ての加入者を選定する(Ｓ３００:SELECT SUBSCRIBERS UNDER INFLUENCE OF THE CHANGE IN CELL CONFIGURATION)。ここで、影響を受ける加入者とは、セル形状の変更によって該当するホームゾーンリストが変更されると予想される加入者を示し、セル形状の変更によって基地局システムパラメータの変更がある基地局それぞれの座標を中心として所定距離範囲内に居住する全ての加入者が、ここでいう影響を受ける加入者に属する。ここで、所定距離は、例えば、１５キロメートルであり、ホームゾーンリストを生成する場合に特に考慮される距離である。また、２個以上の基地局が同一加入者を重複して選定しないようにする。これは、一人の加入者に対して、ホームゾーン生成アルゴリズムを繰り返して実行しないようにするためである。
【００３８】
加入者を選定すると、ホームゾーンサービスセンター１７０はホームゾーンリスト生成アルゴリズム１７４を用いて、それぞれ選定した加入者に対応するホームゾーンリスト１７６を生成する(Ｓ４００:GENERATE HOME-ZONE LIST FOR EACHE SUBSCRIBER)。このホームゾーンリスト生成アルゴリズム１７４は、居住地住所から所定距離範囲内に位置する基地局を選択し、各加入者に対するホームゾーンを構築するための優先順位を決定して、ホームゾーンサービスを提供する際に要求されるホームゾーン基地局に関する情報を含むホームゾーンリスト１７６を生成する。生成されたホームゾーンリスト１７６は、ホームゾーンサービスセンター１７０内の加入者データベース１７８に貯蔵され、ホーム位置登録器１６０において更新される(Ｓ５００:STORE AND UPDATE HOME-ZONE LIST)。
【００３９】
図５に、ホームゾーンサービスセンター１７０内にある基地局システムパラメータデータベース１７２の一例を示す。図示したように、基地局システムパラメータデータベースは、それぞれの基地局に固有の基地局ＩＤ(BTS_Id:BASE STATION ID)、緯度及び経度のような各基地局の位置情報(LATI:LATITUDE, LONG:LONGITUDE)、角度、システム遅延及びサービス範囲等の各セクタに関する情報(ANGLE:ANGLE OF SECTOR, S_DELAY:SYSTEM DELAY OF SECTOR, SVC_RAN:SERVICE RANGE OF SECTOR)、例外の範囲(EXP_RAN:EXCEPTION RANGE)及び変更フィールド(CHANGE:CHANGED BTS)などを貯蔵する。例外の範囲に関して説明する前に、加入者居住地から所定距離範囲内に位置する基地局が全てのセクタをサービスセクタとみなす(または、決定する)ことを理解すべできある。ここで、例外の範囲は、前述したホームゾーンリスト生成の基準になる所定距離を設定するために必要な値が含まれる。
【００４０】
図５において、変更フィールドは、例えば、セル形状の変更によってホームゾーンリストの更新が必要であるか否かを示すビットで構成される。つまり、セル形状の変更によって基地局システムパラメータデータベースを変更する場合、変更フィールドには、ホームゾーンリストの更新が必要であることを示す値が設定される。ホームゾーンサービスセンター１７０は、変更フィールドがホームゾーンリストの更新が必要であることを示す値に設定されている場合、ホームゾーンリストの更新手順を開始する。ホームゾーンリストの更新が完了すると、変更フィールドは、ホームゾーンリストの更新が必要でないことを示す値に復元される。
【００４１】
図６に、ホームゾーンサービスセンター１７０内にある加入者データベース(SUBSCRIBER DATA BASE)の一例を示す。図６に示すように、加入者データベースに貯蔵されるホームゾーンリストは、より良好なホームゾーンサービスを提供するために、それぞれのホームゾーン基地局に関するサービスセクタＩＤまたはＲＴＤ(Round Trip Delay)範囲などの情報を含んでいる。図５において、ＮＳＮ(National Switching Number)はホームゾーン加入者の番号(MOBILE TELECOMMUNICATION SERVICE CHARRIER CODE)を示し、ＮＩＤ(NETWORK ID)はネットワークを識別するためのＩＤを示す。一般的に、ＮＩＤは、１個の移動交換システム(ＭＳＣ)または１つのグループ基地局制御器を識別するための番号である。ＢＴＳ  Ｎは基地局を識別するためのＩＤ(BASE STATION ID)であり、ＳＥＣＴＯＲ  Ｎはセクタタイプ基地局である場合にサービスセクタを区分するＩＤ(SECTOR ID)である。最小及び最大ＲＴＤ(RTD N:MINIMUM RTD, OFFSET N:MAXIMUM RTD)は、予め設定されている特定形態の信号が基地局から送出された後、ホームゾーン居住地の移動端末機を経由して同一基地局が受信するまでの時間範囲を示す。
【００４２】
図７は、ホームゾーンリストを生成する詳細過程を示すフローチャートである。図７に示す全過程は、図３の段階Ｓ３００で選定した全加入者に対して遂行されることに注意しなければならない。以下、ホームゾーンリストを生成する図３の段階(Ｓ４００)を図７で詳細に説明するが、本発明はホームゾーンリストを生成する技術というよりも、セル形状の変更により影響を受ける基地局及び加入者を選定し、この選定した全加入者のホームゾーンリストを更新する技術であると理解されるべきである。
【００４３】
図７を参照すると、ホームゾーンサービスセンター１７０は、居住地から予め決定された所定距離範囲内に位置する基地局を選択する(Ｓ４１０:SELECT BASE STATIONS WITHIN DESIGNATED DISTANCE FROM SUBSCRIBER'S HOME)。このため、ホームゾーンリスト生成アルゴリズム１７４は、入力された居住地住所に対応する緯度及び経度を決定し、この居住地の緯度及び経度、基地局システムパラメータデータベース(図５を参照)に貯蔵された全基地局の緯度及び経度を利用して、加入者居住地と基地局との間の距離(Distance between Home and BTS:ＤＨＢ)を算出する。加入者居住地と基地局との間の距離Ｄは数式１から算出することができる。
【数１】
0003737473.tif 000002
【００４４】
ここで、ｘｂｔｓ及びｙｂｔｓは、基地局の経度及び緯度であり、ｘｈｏｍｅ及びｙｈｏｍｅは、ホームゾーン加入者居住地の経度及び緯度であり、ｄｌｏｎは、該当地域の１経度秒(one longitude second)に対応する距離であり、ｄｌａｔは、該当の地域の１緯度秒(one longitude second)に対応する距離である。シドニー地域を例えて説明すると、ｄｌａｔは３０.６３メートルであり、ｄｌｏｎは２５.９５メートルである。段階Ｓ４１０で、数式１から得られたＤＨＢを使用して、予め決定してある所定の距離(例えば、１５キロメートル)範囲内または境界に位置する全ての基地局を選択する。
【００４５】
次の段階(Ｓ４２０:SELECTED BASE STATIONS GROUPED ACCORDING TO DIRECTION ANGLES)では、該当基地局からホームゾーン加入者居住地への方向角(Home Angle from BTS:ＨＡＢ)に基づいて、段階Ｓ４１０で選択した基地局を複数のグループに区分する。このために、居住地の緯度及び経度と選択した基地局の緯度及び経度を利用して、選択した基地局それぞれの方向角を計算する。基地局の方向角は数式２によって計算する。
【数２】
0003737473.tif 000003
ここで、θ１は、緯度であるｘ軸を基準にして反時計回りに増加する角度を示す。図８に角度θ１を示す。しかしながら、実際に該当の基地局の方向を判断するためには、１２時方向を０度にして時計回りで増加する度(in degree)単位の方向角を使用することがより容易である。図８に本発明による方向角θ１の例を示す。従って、実際に方向角θを決定するためには、(ｘｈｏｍｅ−ｘｂｔｓ)及び(ｙｈｏｍｅ−ｙｂｔｓ)の符号に従って下記のような変換が必要である。
【００４６】
(ｘｈｏｍｅ−ｘｂｔｓ)＝０であり、(ｙｈｏｍｅ−ｙｂｔｓ)＞０である場合、θは０度である。
(ｘｈｏｍｅ−ｘｂｔｓ)＞０であり、(ｙｈｏｍｅ−ｙｂｔｓ)＞０である場合、θは(９０−θ１)度である。
(ｘｈｏｍｅ−ｘｂｔｓ)＞０であり、(ｙｈｏｍｅ−ｙｂｔｓ)＝０である場合、θは９０度である。
(ｘｈｏｍｅ−ｘｂｔｓ)＞０であり、(ｙｈｏｍｅ−ｙｂｔｓ)＜０である場合、θは(１８０−θ１)度である。
(ｘｈｏｍｅ−ｘｂｔｓ)＝０であり、(ｙｈｏｍｅ−ｙｂｔｓ)＜０である場合、θは１８０度である。
(ｘｈｏｍｅ−ｘｂｔｓ)＜０であり、(ｙｈｏｍｅ−ｙｂｔｓ)＜０である場合、θは(２７０−θ１)度である。
(ｘｈｏｍｅ−ｘｂｔｓ)＜０であり、(ｙｈｏｍｅ−ｙｂｔｓ)＝０である場合、θは２７０度である。
(ｘｈｏｍｅ−ｘｂｔｓ)＜０であり、(ｙｈｏｍｅ−ｙｂｔｓ)＞０である場合、θは(３６０−θ１)度である。
(ｘｈｏｍｅ−ｘｂｔｓ)＝０であり、(ｙｈｏｍｅ−ｙｂｔｓ)＝０である場合は、基地局とホームゾーン加入者の居住地が一致することを意味するので、別に取り扱う。
【００４７】
ホームゾーンリスト生成アルゴリズム１７４は、数式２及び変換規則によって計算した方向角(ＨＡＢ)を利用して、段階Ｓ４１０で選択した基地局をグループ化する。例えば、図９に示すように、基地局は、加入者居住地を中心に６０度単位で６個のグループに区分される。すると、０〜５９度の方向角を有する基地局は第１グループ(１)になり、６０度〜１１９度基地局は第２グループ(２)になり、１２０度〜１７９度の基地局は第３グループ(３)になり、１８０度〜２３９度の基地局は第４グループ(４)になり、２４０〜２９９度の基地局は第５グループ(５)になり、３００度〜３５９度の基地局は第６グループ(６)になる。さらに、基地局の配置によっては、あるグループが基地局を有しない空きグループ(Empty Group)になることもできる。
【００４８】
一方、選択した基地局がセクタ基地局である場合、計算した方向角(ＨＡＢ)を利用してセクタ方向角(Angle Between Sector and Home:ＡＳＨ)を計算すべきである。これは、それぞれのセクタが基地局を中心として異なる方向にサービスをするため、各セクタが居住地の方向をサービスできるか否かを判断する必要があるからである。セクタ方向角(ＡＳＨ)を計算するために、基地局システムパラメータデータベースに貯蔵されているセクタ角度を利用する。セクタ角度は、基地局を中心にしてセクタアンテナを向ける方向を意味する。従って、セクタ方向角（ＡＳＨ）は、方向角(ＨＡＢ)とセクタ角度との差、つまり、“方向角(ＨＡＢ)−ＡＳＨ＿|αβγ|”になる。また、セクタ方向角は、絶対値であり、差が１８０度より大きい場合は絶対値として再び計算される。
【００４９】
図８に基地局を中心とするセクタ方向(α、β、γ)を示す。図８を参照すると、基地局の方向角(ＨＡＢ)が６０度、αセクタ角度が３０度、βセクタ角度が１５０度、γセクタ角度が３００度であると仮定する。この３つの値によって、各セクタのセクタ方向角(ＡＳＨ)を計算することができる。例えば、αセクタのセクタ方向角ＡＳＨ＿αは、|６０−３０|＝３０度であり、βセクタのセクタ方向角ＡＳＨ＿βは|１５０−６０|＝９０度である。一方、γセクタのセクタ方向角ＡＳＨ＿γは、|３００−６０|＝２４０で、１８０度より大きいので、|３６０−２４０|＝１２０度として再び計算される。従って、このような結果からセクタ方向角が１８０度に近づけば近づくほど、対応するセクタがホームゾーン加入者居住地と反対方向を向いていることが分かる。
【００５０】
グループ化の結果、空きグループが存在しない場合(Ｓ４３０)、ホームゾーンリスト生成アルゴリズム１７４は、ホームゾーン加入者居住地からの距離順によって、各グループ基地局を配列し、各グループ基地局を複数の層(Tier)に区分する(Ｓ４４０:ARRAY BASE STATIONS IN EACH GROUP)。ここで、層とは、ホームゾーン加入者居住地を中心にしてホームゾーン加入者に最良のホームゾーンサービスを提供することのできる基地局の順を意味する。特に、層は、ホームゾーン加入者居住地からの距離だけでなく、方向角（ＨＡＢ）やセクタ方向角（ＡＳＨ）を考慮して定義されることに注意すべきである。
【００５１】
特に、本発明の実施形態において、まず、６個のグループのうち第１層〜第３層基地局を決定する。各グループにおいてホームゾーン加入者居住地に最も近い３つの基地局のうち第１層〜第３層基地局を決定する手順を説明すると下記の通りである。
【００５２】
ホームゾーン加入者居住地に最も近い３個の基地局の順が基地局Ａ、基地局Ｂ、基地局Ｃであり、ホームゾーン加入者居住地から各基地局までの距離がそれぞれＤＨＢ＿Ａ、ＤＨＢ＿Ｂ、ＤＨＢ＿Ｃであると仮定すると(距離がＤＨＢ＿Ａ＜ＤＨＢ＿Ｂ＜ＤＨＢ＿Ｃの関係を満足するという条件下)、第１層基地局を下記の手順によって決定する。
【００５３】
第１例において、(ＤＨＢ＿Ｂ−ＤＨＢ＿Ａ)、(ＤＨＢ＿Ｃ−ＤＨＢ＿Ｂ)及び(ＤＨＢ＿Ｃ−ＤＨＢ＿Ａ)の全てが予め決定される所定の層区分基準距離(Ｄ＿ＴＩＥＲ＿ＡＤＪＵＳＴ)より小さい場合、第１層基地局は、３個の基地局のうち最小のセクタ方向角を有する基地局になる。例えば、層区分基準距離が１５０メートルであり、第１グループに属する３個の基地局の基地局ＩＤが１２、１６、７４である場合、ホームゾーン加入者居住地から各基地局への距離(ＤＨＢ)及びセクタ方向角は、表１のようになる。
【表１】
0003737473.tif 000004
【００５４】
表１に示すように、基地局７４と基地局１２との間の距離が１５０メートルより小さいので、最小のセクタ方向角(αセクタ方向角＝５０度)を有する基地局を第１層基地局として決定する。
【００５５】
第２例において、(ＤＨＢ＿Ｂ−ＤＨＢ＿Ａ)及び(ＤＨＢ＿Ｃ−ＤＨＢ＿Ｂ)が層区分基準距離(Ｄ＿ＴＩＥＲ＿ＡＤＪＵＳＴ)より小さく、(ＤＨＢ＿Ｃ−ＤＨＢ＿Ａ)が層区分基準距離よりも大きい場合、第１層基地局は、ホームゾーン加入者居住地に最も近い２個の基地局Ａ及びＢのうち最小のセクタ方向角を有する基地局になる。例えば、層区分基準距離が１５０メートルであり、第１グループに属する３個の基地局の基地局ＩＤが１２、１６、２２である場合、各基地局に対してホームゾーン加入者居住地からの距離及びセクタ方向角は表２のようになる。
【表２】
0003737473.tif 000005
【００５６】
表２の場合、基地局１２と基地局１６との間の距離が１５０メートルより小さく、基地局１６と基地局２２との間の距離も１５０メートルより小さく、基地局２２が基地局１２から１５０メートル以上離れている。従って、基地局１２と基地局１６を比較して、最小のセクタ方向角(γセクタ方向角＝５０度)を有する基地局１６を第１層基地局として決定する。
【００５７】
第３例において、(ＤＨＢ＿Ｂ−ＤＨＢ＿Ａ)が層区分基準距離より大きいと仮定する。第１層基地局は、３個の基地局(基地局Ａ、基地局Ｂ、基地局Ｃ)のうちホームゾーン加入者居住地との距離が最も近い基地局になる。例えば、層区分基準距離が１５０メートルであり、第１グループに属する基地局の基地局ＩＤが１２、１６、７４である場合、各基地局に対してホームゾーン加入者居住地からの距離(ＤＨＢ)及びセクタ方向角は表３のようになる。
【表３】
0003737473.tif 000006
【００５８】
表３の場合、３個の基地局間の距離が全て１５０メートルより大きいので、ホームゾーン加入者居住地に最も近い基地局を第１層基地局として決定する。
【００５９】
前述した手順を通して、各グループにおけるホームゾーン加入者居住地に最も近い３個の基地局のうち第１層基地局を決定すると、残りの第２層及び第３層基地局を決定する。同時に、各グループにおいて第１層基地局を除いた他の基地局を距離順に配列する。その後、予め決定してある開始基準距離Ｄ＿ＳＴＩＥＲ＿ＡＤＪＵＳＴを境界にして、その境界の内外に分布している基地局に優先順位を与える。特に、より小さいセクタ方向角(ＡＳＨ)を有する基地局が、より高い優先順位を有するようになる。次に、開始基準距離に単位基準距離Ｄ＿ＶＴＩＥＲ＿ＡＤＪＵＳＴを加えることによって、境界毎に先述した優先順位調整動作を繰り返す。
【００６０】
例えば、開始基準距離が１０００メートルであり、単位基準距離も１０００メートルであると仮定する。この場合、１０００メートルを境界として、各グループの境界周辺に位置する基地局をホームゾーンリストに配列し、より小さいセクタ方向角(ＡＳＨ)を有する基地局がより高い優先順位を有するようになる。同様に、２０００メートル、３０００メートル、…を境界として、それぞれに対応する境界の上／下に位置する基地局のうちより小さいセクタ方向角(ＡＳＨ)を有する基地局がホームゾーンリスト上でより高い優先順位を有するように配列する動作が繰り返される。例えば、図９では、選択した基地局が１５キロメートル内に位置するので、配列動作が１５回繰り返される。
【００６１】
一方、段階Ｓ４３０で、グループ化の結果、空きグループが存在する場合、ホームゾーンリスト生成アルゴリズム１７４は、空きグループに隣接するグループの第２及び第３層基地局から空きグループに最も近い１の基地局を空きグループに含める。このようにして含められた基地局は、空きグループの第１層基地局になる(Ｓ４３５:DETERMINE FIRST TIER BASE STATION IN EMPTY GROUP)。ここで、空きグループは、第１層基地局のみを有するグループとして定義される。
【００６２】
より正確に言うと、第３グループが空きグループである場合、隣接する第２グループまたは第４グループの第２層及び第３層基地局から第３グループに最も近い基地局が空きグループの第１層基地局として指定される。第４グループの第２層基地局が空きグループの第１層基地局になる場合、第４グループの残りの基地局のうち１つを第２層基地局として指定することになる。
【００６３】
次の段階(Ｓ４５０:SELECT HOME-ZONE BASE STATIONS)では、配列した基地局から選択した所定個数の上位優先順位基地局をホームゾーン基地局に決定する。例えば、各グループから第１層〜第３層基地局を決定することによって総計１８個の基地局を選択できる場合、この１８個の基地局のうち、より高い優先順位を有する１６個の基地局がホームゾーン基地局として指定される。しかしながら、空きグループの数が多く、第１層〜第３層基地局に使用する基地局総数が１６未満の場合には、第４層基地局以上の残りの基地局から優先順位の高い基地局をホームゾーン基地局として決定する。ここで、第４層基地局以上の残りの基地局の優先順位は、ホームゾーン加入者居住地からの距離順によって、近い基地局に高い優先順位を与えて決定する。
【００６４】
次に、選択したホームゾーン基地局からホームゾーン加入者をサービスするセクタ(サービスセクタ)を選択する(Ｓ４６０:SELECT SERVICE SECTOR)。ただし、ホームゾーン基地局の１のセクタがホームゾーン加入者居住地に対して反対方向を向いている場合は、そのセクタを選択してはならない。これは、該セクタはホームゾーン加入者をサービスすることが全くできないからである。
【００６５】
通常、サービスセクタを選択するには、アンテナビームパターンバックローブ(Back Lobe)成分の影響を考慮した距離が利用される。バックローブ基準距離は、セクタアンテナのバックローブが影響を及ぼす最大距離である。一般的に、４チップ(chip)間に電波が到達できる距離である。例えば、１.２２９５Ｍｃｐｓチップ速度を使用するＣＤＭＡシステムでは、４チップの距離は９７６メートルである。
【００６６】
任意のホームゾーン基地局におけるサービスセクタ選択方法の一例を説明すると、下記の通りである。
【００６７】
第１に、ホームゾーン加入者居住地がホームゾーン基地局から予め決定されているバックローブ基準距離(Ｄ＿ＢＡＣＫＬＯＢ＿ＬＩＭＩＴ)範囲内に位置する場合、該当基地局の全セクタをサービスセクタとして選択する。これは、セクタが該当基地局のホームゾーン加入者居住地とは反対方向を向いていても、セクタアンテナのバックローブがホームゾーン加入者居住地をカバーすることができるからである。
【００６８】
第２に、ホームゾーン加入者居住地がホームゾーン基地局から予め決定さていれるバックローブ基準距離(Ｄ＿ＢＡＣＫＬＯＢ＿ＬＩＭＩＴ)範囲内に位置しない場合、予め決定されている所定の基準セクタ方向角より小さいセクタ方向角を有するセクタをサービスセクタとして選択する。これは、基準セクタ方向角以上のセクタアンテナがホームゾーン加入者居住地をカバーすることができないからである。例えば、基準セクタ方向角は、１００度である。
【００６９】
第３に、ホームゾーン基地局がセクタ基地局でない場合、つまり、オムニ基地局またはマイクロセル基地局である場合、該当基地局の全セクタをサービスセクタとして選択する。
【００７０】
段階Ｓ４６０の後、ホームゾーンリスト生成アルゴリズム１７４は、最終的に選択したホームゾーン基地局のそれぞれに対してホームゾーンリストに含まれるＲＴＤの範囲、つまり、最小ＲＴＤ及び最大ＲＴＤを計算する(Ｓ４７０:CALCULATE RTD RANGE)。任意のホームゾーン基地局に対して最小ＲＴＤ及び最大ＲＴＤを計算する方法の一例を説明すると、下記の通りである。
【００７１】
１チップ間に電波が移動できる最大距離が約２４４メートルである場合、最大ＲＴＤを１２０に固定する。最小ＲＴＤを得るために、基地局とホームゾーン加入者居住地との間の距離及び該当基地局のシステム遅延を利用して、数式３から初期ＲＴＤを計算する。
【数３】
0003737473.tif 000007
【００７２】
最小ＲＴＤは、計算した初期ＲＴＤに基づいて、数式４から算出することができる。
【数４】
0003737473.tif 000008
【００７３】
ここで、システム遅延は、無線端末機からの信号が基地局を通過して戻ってくるまでの最小システム遅延値である。システム遅延は、基地局システムパラメータデータベースに貯蔵されているセクタシステム遅延に８をかけた値と同一である。
【００７４】
以下、最小ＲＴＤを計算する方法を説明する。
【００７５】
セクタシステム遅延が３１であると仮定すると、システム遅延は３１×８＝２４８になる。基地局がホームゾーン加入者居住地の屋根の上に位置する場合、ＤＨＢは０になり、最小ＲＴＤは(０＋２４８)×０.９５＝２３５.６ｍである。
【００７６】
ホームゾーンリスト生成アルゴリズム１７４は、最終的に選択したホームゾーン基地局のそれぞれに対して最小ＲＴＤ、 最大ＲＴＤ及び少なくとも１つのサービスセクタＩＤの関連情報を貯蔵するホームゾーンリストを生成する（Ｓ４８０:GENERATE HOME-ZONE LIST）。表４は、本発明によって生成したホームゾーンリストの一例を示である。
【表４】
0003737473.tif 000009
【００７７】
こように生成したホームゾーンリストは、ホームゾーンサービスセンター１７０によってホーム位置登録器１８０に伝送される。ホーム位置登録器１８０は、ホームゾーンサービスセンター１７０から受信したホームゾーンリストを利用して、自己の加入者データベース内に予め貯蔵しているホームゾーンリストを更新する。
【００７８】
前述の如く、本発明の詳細な説明では具体的な実施形態を参照して詳細に説明してきたが、本発明の範囲はこのような実施形態によって限られるべきではなく、本発明の範囲内で様々な変形が可能であることは、当該技術分野における通常の知識を持つ者には明らかである。
【００７９】
【発明の効果】
前述してきたように、本発明は、非常に有用である。本発明の効果のうち、代表的な効果及び利点を説明すると、下記の通りである。
【００８０】
本発明は、基地局の増設、移設または撤去によってセル形状が変更した場合、この変更したセル形状に基づいてデータベースを作成し、基地局システムパラメータを変更する基地局を決定する。この決定した基地局を基準に所定の加入者に対するホームゾーンリストをホームゾーン生成アルゴリズムにより生成することで、セル形状の変更が反映されたホームゾーンを容易に入手することができる。また、本発明は、加入者が別途に呼を連結する必要がなく、つまりホームゾーンリストの更新を行うための受動操作を行う必要がなく、自動的にホームゾーンリストを更新することができるので、加入者に便利なサービスを提供することができるようになる。さらに、本発明は、セル形状の変更時、この変更を直ちに適用するので、タイムラグを発生することなくより正確なホームゾーンサービスを提供することができるといった利点を有する。
【図面の簡単な説明】
【図１】  本発明が適用されるセルラー移動通信ネットワークのホームゾーンサービス領域を示す図。
【図２】  本発明によるホームゾーンサービスのためのシステム構成図。
【図３】  本発明によるホームゾーンリストの更新動作を示すフローチャート。
【図４】  本発明によるホームゾーンリストの更新動作を示すブロック図。
【図５】  本発明による基地局システムパラメータデータベースの例示図。
【図６】  本発明による加入者データベースの例示図。
【図７】  本発明によるホームゾーンリスト生成動作を示すフローチャート。
【図８】  ホームゾーン加入者の居住地及び基地局の方向を示す座標図。
【図９】  方向角(ＨＡＢ)によってグループ化された基地局を示す図。
【図１】
0003737473.tif 000010
【図２】
0003737473.tif 000011
【図３】
0003737473.tif 000012
【図４】
0003737473.tif 000013
【図５】
0003737473.tif 000014
【図６】
0003737473.tif 000015
【図７】
0003737473.tif 000016
【図８】
0003737473.tif 000017
【図９】
0003737473.tif 000018